【手続補正書】
【提出日】平成26年3月31日(2014.3.31)
【手続補正１】
【補正対象書類名】特許請求の範囲
【補正対象項目名】全文
【補正方法】変更
【補正の内容】
【特許請求の範囲】
【請求項１】
動画像の各ピクチャを分割したブロック単位で動き補償予測を用いて符号化された符号列を復号する動画像復号装置であって、
復号対象予測ブロックの動きベクトルを、前記復号対象予測ブロックの周辺ブロックから選択される候補ブロックの内の何れかの候補ブロックの動きベクトルに基づき導出する動き情報導出部と、
前記動き情報導出部により導出された動きベクトルを用いた動き補償予測により前記復号対象予測ブロックの予測信号を生成する動き補償予測部と
を備え、
前記動き情報導出部は、第１のブロックの動きベクトル数と第２のブロックの動きベクトル数が同一である場合、前記第１のブロックの動きベクトルが参照する参照ピクチャを示す参照インデックスと前記第２のブロックの動きベクトルが参照する参照ピクチャを示す参照インデックスが同一であるか否かによって、前記第２のブロックを候補ブロックとするか否かを判定することを特徴とする動画像復号装置。
【請求項２】
動画像の各ピクチャを分割したブロック単位で動き補償予測を用いて符号化された符号列を復号する動画像復号方法であって、
復号対象予測ブロックの動きベクトルを、前記復号対象予測ブロックの周辺ブロックから選択される候補ブロックの内の何れかの候補ブロックの動きベクトルに基づき導出する動き情報導出ステップと、
前記動き情報導出部により導出された動きベクトルを用いた動き補償予測により前記復号対象予測ブロックの予測信号を生成する動き補償予測ステップと
を有し、
前記動き情報導出ステップにおいて、第１のブロックの動きベクトル数と第２のブロックの動きベクトル数が同一である場合、前記第１のブロックの動きベクトルが参照する参照ピクチャを示す参照インデックスと前記第２のブロックの動きベクトルが参照する参照ピクチャを示す参照インデックスが同一であるか否かによって、前記第２のブロックを候補ブロックとするか否かを判定することを特徴とする動画像復号方法。
【請求項３】
動画像の各ピクチャを分割したブロック単位で動き補償予測を用いて符号化された符号列を復号する動画像復号プログラムであって、
復号対象予測ブロックの動きベクトルを、前記復号対象予測ブロックの周辺ブロックから選択される候補ブロックの内の何れかの候補ブロックの動きベクトルに基づき導出する動き情報導出ステップと、
前記動き情報導出部により導出された動きベクトルを用いた動き補償予測により前記復号対象予測ブロックの予測信号を生成する動き補償予測ステップと
をコンピュータに実行させ、
前記動き情報導出ステップにおいて、第１のブロックの動きベクトル数と第２のブロックの動きベクトル数が同一である場合、前記第１のブロックの動きベクトルが参照する参照ピクチャを示す参照インデックスと前記第２のブロックの動きベクトルが参照する参照ピクチャを示す参照インデックスが同一であるか否かによって、前記第２のブロックを候補ブロックとするか否かを判定することを特徴とする動画像復号プログラム。
【請求項４】
動画像の各ピクチャを分割したブロック単位で動き補償予測を用いて符号化された符号列を復号する受信装置であって、
パケット化された符号化データをネットワークを介して受信する受信部と、
受信された符号化データをバッファするメモリと、
前記符号化データをパケット処理して符号化ストリームを生成するパケット処理部と、
前記符号化ストリームにおける復号対象予測ブロックの動きベクトルを、前記復号対象予測ブロックの周辺ブロックから選択される候補ブロックの内の何れかの候補ブロックの動きベクトルに基づき導出する動き情報導出部と、
前記動き情報導出部により導出された動きベクトルを用いた動き補償予測により前記復号対象予測ブロックの予測信号を生成する動き補償予測部と
を備え、
前記動き情報導出部は、第１のブロックの動きベクトル数と第２のブロックの動きベクトル数が同一である場合、前記第１のブロックの動きベクトルが参照する参照ピクチャを示す参照インデックスと前記第２のブロックの動きベクトルが参照する参照ピクチャを示す参照インデックスが同一であるか否かによって、前記第２のブロックを候補ブロックとするか否かを判定することを特徴とする受信装置。
【請求項５】
動画像の各ピクチャを分割したブロック単位で動き補償予測を用いて符号化された符号列を復号する受信方法であって、
パケット化された符号化データをネットワークを介して受信する受信ステップと、
受信された符号化データをバッファするステップと、
前記符号化データをパケット処理して符号化ストリームを生成するパケット処理ステップと、
前記符号化ストリームにおける復号対象予測ブロックの動きベクトルを、前記復号対象予測ブロックの周辺ブロックから選択される候補ブロックの内の何れかの候補ブロックの動きベクトルに基づき導出する動き情報導出ステップと、
前記動き情報導出部により導出された動きベクトルを用いた動き補償予測により前記復号対象予測ブロックの予測信号を生成する動き補償予測ステップと
を有し、
前記動き情報導出ステップにおいて、第１のブロックの動きベクトル数と第２のブロックの動きベクトル数が同一である場合、前記第１のブロックの動きベクトルが参照する参照ピクチャを示す参照インデックスと前記第２のブロックの動きベクトルが参照する参照ピクチャを示す参照インデックスが同一であるか否かによって、前記第２のブロックを候補ブロックとするか否かを判定することを特徴とする受信方法。
【請求項６】
動画像の各ピクチャを分割したブロック単位で動き補償予測を用いて符号化された符号列を復号する受信プログラムであって、
パケット化された符号化データをネットワークを介して受信する受信ステップと、
受信された符号化データをバッファするステップと、
前記符号化データをパケット処理して符号化ストリームを生成するパケット処理ステップと、
前記符号化ストリームにおける復号対象予測ブロックの動きベクトルを、前記復号対象予測ブロックの周辺ブロックから選択される候補ブロックの内の何れかの候補ブロックの動きベクトルに基づき導出する動き情報導出ステップと、
前記動き情報導出部により導出された動きベクトルを用いた動き補償予測により前記復号対象予測ブロックの予測信号を生成する動き補償予測ステップと
をコンピュータに実行させ、
前記動き情報導出ステップにおいて、第１のブロックの動きベクトル数と第２のブロックの動きベクトル数が同一である場合、前記第１のブロックの動きベクトルが参照する参照ピクチャを示す参照インデックスと前記第２のブロックの動きベクトルが参照する参照ピクチャを示す参照インデックスが同一であるか否かによって、前記第２のブロックを候補ブロックとするか否かを判定することを特徴とする受信プログラム。
【手続補正２】
【補正対象書類名】明細書
【補正対象項目名】発明の名称
【補正方法】変更
【補正の内容】
【発明の名称】動画像復号装置、動画像復号方法、及び動画像復号プログラム、並びに、受信装置、受信方法、及び受信プログラム
【手続補正３】
【補正対象書類名】明細書
【補正対象項目名】０００９
【補正方法】変更
【補正の内容】
【０００９】
動画像の各ピクチャを分割したブロック単位で動き補償予測を用いて符号化された符号列を復号する動画像復号装置であって、復号対象予測ブロックの動きベクトルを、前記復号対象予測ブロックの周辺ブロックから選択される候補ブロックの内の何れかの候補ブロックの動きベクトルに基づき導出する動き情報導出部と、前記動き情報導出部により導出された動きベクトルを用いた動き補償予測により前記復号対象予測ブロックの予測信号を生成する動き補償予測部とを備え、前記動き情報導出部は、第１のブロックの動きベクトル数と第２のブロックの動きベクトル数が同一である場合、前記第１のブロックの動きベクトルが参照する参照ピクチャを示す参照インデックスと前記第２のブロックの動きベクトルが参照する参照ピクチャを示す参照インデックスが同一であるか否かによって、前記第２のブロックを候補ブロックとするか否かを判定することを特徴とする動画像復号装置を提供する。
動画像の各ピクチャを分割したブロック単位で動き補償予測を用いて符号化された符号列を復号する動画像復号方法であって、復号対象予測ブロックの動きベクトルを、前記復号対象予測ブロックの周辺ブロックから選択される候補ブロックの内の何れかの候補ブロックの動きベクトルに基づき導出する動き情報導出ステップと、前記動き情報導出部により導出された動きベクトルを用いた動き補償予測により前記復号対象予測ブロックの予測信号を生成する動き補償予測ステップとを有し、前記動き情報導出ステップにおいて、第１のブロックの動きベクトル数と第２のブロックの動きベクトル数が同一である場合、前記第１のブロックの動きベクトルが参照する参照ピクチャを示す参照インデックスと前記第２のブロックの動きベクトルが参照する参照ピクチャを示す参照インデックスが同一であるか否かによって、前記第２のブロックを候補ブロックとするか否かを判定することを特徴とする動画像復号方法を提供する。
動画像の各ピクチャを分割したブロック単位で動き補償予測を用いて符号化された符号列を復号する動画像復号プログラムであって、復号対象予測ブロックの動きベクトルを、前記復号対象予測ブロックの周辺ブロックから選択される候補ブロックの内の何れかの候補ブロックの動きベクトルに基づき導出する動き情報導出ステップと、前記動き情報導出部により導出された動きベクトルを用いた動き補償予測により前記復号対象予測ブロックの予測信号を生成する動き補償予測ステップとをコンピュータに実行させ、前記動き情報導出ステップにおいて、第１のブロックの動きベクトル数と第２のブロックの動きベクトル数が同一である場合、前記第１のブロックの動きベクトルが参照する参照ピクチャを示す参照インデックスと前記第２のブロックの動きベクトルが参照する参照ピクチャを示す参照インデックスが同一であるか否かによって、前記第２のブロックを候補ブロックとするか否かを判定することを特徴とする動画像復号プログラムを提供する。
動画像の各ピクチャを分割したブロック単位で動き補償予測を用いて符号化された符号列を復号する受信装置であって、パケット化された符号化データをネットワークを介して受信する受信部と、受信された符号化データをバッファするメモリと、前記符号化データをパケット処理して符号化ストリームを生成するパケット処理部と、前記符号化ストリームにおける復号対象予測ブロックの動きベクトルを、前記復号対象予測ブロックの周辺ブロックから選択される候補ブロックの内の何れかの候補ブロックの動きベクトルに基づき導出する動き情報導出部と、前記動き情報導出部により導出された動きベクトルを用いた動き補償予測により前記復号対象予測ブロックの予測信号を生成する動き補償予測部とを備え、前記動き情報導出部は、第１のブロックの動きベクトル数と第２のブロックの動きベクトル数が同一である場合、前記第１のブロックの動きベクトルが参照する参照ピクチャを示す参照インデックスと前記第２のブロックの動きベクトルが参照する参照ピクチャを示す参照インデックスが同一であるか否かによって、前記第２のブロックを候補ブロックとするか否かを判定することを特徴とする受信装置を提供する。
動画像の各ピクチャを分割したブロック単位で動き補償予測を用いて符号化された符号列を復号する受信方法であって、パケット化された符号化データをネットワークを介して受信する受信ステップと、受信された符号化データをバッファするステップと、前記符号化データをパケット処理して符号化ストリームを生成するパケット処理ステップと、前記符号化ストリームにおける復号対象予測ブロックの動きベクトルを、前記復号対象予測ブロックの周辺ブロックから選択される候補ブロックの内の何れかの候補ブロックの動きベクトルに基づき導出する動き情報導出ステップと、前記動き情報導出部により導出された動きベクトルを用いた動き補償予測により前記復号対象予測ブロックの予測信号を生成する動き補償予測ステップとを有し、前記動き情報導出ステップにおいて、第１のブロックの動きベクトル数と第２のブロックの動きベクトル数が同一である場合、前記第１のブロックの動きベクトルが参照する参照ピクチャを示す参照インデックスと前記第２のブロックの動きベクトルが参照する参照ピクチャを示す参照インデックスが同一であるか否かによって、前記第２のブロックを候補ブロックとするか否かを判定することを特徴とする受信方法を提供する。
動画像の各ピクチャを分割したブロック単位で動き補償予測を用いて符号化された符号列を復号する受信プログラムであって、パケット化された符号化データをネットワークを介して受信する受信ステップと、受信された符号化データをバッファするステップと、前記符号化データをパケット処理して符号化ストリームを生成するパケット処理ステップと、前記符号化ストリームにおける復号対象予測ブロックの動きベクトルを、前記復号対象予測ブロックの周辺ブロックから選択される候補ブロックの内の何れかの候補ブロックの動きベクトルに基づき導出する動き情報導出ステップと、前記動き情報導出部により導出された動きベクトルを用いた動き補償予測により前記復号対象予測ブロックの予測信号を生成する動き補償予測ステップとをコンピュータに実行させ、前記動き情報導出ステップにおいて、第１のブロックの動きベクトル数と第２のブロックの動きベクトル数が同一である場合、前記第１のブロックの動きベクトルが参照する参照ピクチャを示す参照インデックスと前記第２のブロックの動きベクトルが参照する参照ピクチャを示す参照インデックスが同一であるか否かによって、前記第２のブロックを候補ブロックとするか否かを判定することを特徴とする受信プログラムを提供する。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】